(57)【要約】【課題】高齢者や病人など、腰、腕、指に不自由がある場合でも、他人の補助を受けずに自分一人で靴下を履くことが出来るようにすること。【解決手段】略平行に配した二つのアーム部材と、該アーム部材の後端部に配した縦方向の箆部材とを備え、アーム部材の後端部から少なくとも５ｃｍ以上離隔させた前方位置に、アーム部材の上端より上方に向かって突出させた靴下係止片とを備えるよう構成する。靴下を履きやすい形状で保持させ、係止片によって保持されている靴下上端の開口に足を差し入れた後、箆部材を上方に引き上げれば自動的に靴下が装着された状態となって残る。【選択図】　　図１
2004097245.tif 000002
【特許請求の範囲】
【請求項１】
略平行に配した二つのアーム部材と、
該アーム部材の後端部に配した縦方向の箆部材とを備え、
アーム部材の後端部から少なくとも５ｃｍ以上離隔させた前方位置に、アーム部材の上端より上方に向かって突出させた靴下係止片とを備えることを特徴とする靴下の着用補助具。
【請求項２】
略平行に配した二つのアーム部材は、最小幅の部分が少なくとも５ｃｍ以上の離隔寸法をもつことを特徴とする請求項１記載の靴下の着用補助具。
【請求項３】
箆部材は、着脱または回動自在とすることを特徴とする請求項１または請求項２記載の靴下の着用補助具。
【発明の詳細な説明】
【０００１】
【発明の属する技術分野】
本発明は、病人や高齢者等、身体が不自由な人が靴下を容易に装着出来るようにする補助具の構造に関する。
【０００２】
【従来の技術】
ある種の疾病患者や高齢者のなかには、深く腰をかがめて靴下を履くことが難しい人がみられる。重度の身障者や特別の介護を要する高齢者は、例えば施設の介護スタッフ等の助けを借りて靴下を履くことも出来る。他方、一般家庭で普通に生活している高齢者や身体機能に軽度の障害がある病人は、出来るだけ他人の援助を借りずに自分で靴下を履きたいと願うが、従来、そのような要請を実現する補助器具類は提案されていない。
【０００３】
例えば、特開平０８−１５４８００号公報記載の発明は、靴下類の着用補助具であるが、これはストッキングやタイツなど長い靴下類をはきやすくためのもので、腰や腕先の運動機能が低下している高齢者や疾病者が普通の靴下（いわゆる短い靴下）を履く際にはまったく利用できないものである。
【０００４】
【発明が解決しようとする課題】
重度の障害者や特別の看護を要する高齢者と異なり、日常生活に特に不自由はないが、深く腰を曲げることが難しかったり、指先や腕の動きに支障がある人の場合、着衣を整える時に最も難しいのが靴下の装着である。
【０００５】
靴下の装着は、腰が曲がる人でも片手で装着するのは難しいし、両手が使える人でも一定角度以上に腰を曲げることが出来ない人にとっては、たいへん難しい動作になる。
【０００６】
そこで本発明の目的は、高齢者や病人など腰、腕、指などに不自由がある場合でも、出来るだけ容易に靴下を履くことが出来るようにする点にある。
【０００７】
【課題を解決するための手段】
前記目的を達成するため、本発明に係る靴下の着用補助具は、略平行に配した二つのアーム部材と、該アーム部材の後端部に配した縦方向の箆部材とを備え、アーム部材の後端部から少なくとも５ｃｍ以上離隔させた前方位置に、アーム部材の上端より上方に向かって突出させた靴下係止片とを備えるよう構成する。
【０００８】
略平行に配した二つのアーム部材は、最小幅の部分が少なくとも５ｃｍ以上の離隔寸法をもつ場合がある（請求項２）。箆部材は、着脱または回動自在とする場合がある（請求項３）。
【０００９】
【作用】
本発明に係る靴下の着用補助具は、垂直方向の箆部材と、略平行な二つのアーム部材と、上方に突出させた靴下係止片によって、靴下の内部に足を差し入れるための開口を形成させる。箆部材、略平行な二つのアーム部材、上方突出させた靴下係止片を利用して靴下を補助具に装着させると、靴下上端部の開口は、上下左右に十分な大きさをもった開口となって展張係止される。
【００１０】
補助具への靴下の装着は、腰を曲げなくても簡単にできる。この状態から靴下の開口内部に足を入れ、そのまま箆部材を上方へ引き抜くと、靴下から補助具が離れて靴下はそのまま足に装着された状態となって残る。箆部材の長さが十分であれば、腰を曲げなくても靴下を装着できる。以下、具体的に説明する。
【００１１】
【発明の実施の形態】
図１は、本発明に係る靴下の着用補助具を例示するものである。この着用補助具１０は、略平行に配した二つのアーム部材１１と、該アーム部材１１の後端部に配した縦方向の箆部材２１とを備える。またアーム部材１１の後端部から少なくとも５ｃｍ以上離隔させた前方位置に、アーム部材１１の上端面より上に向かって突出させた靴下係止片１４を設けてある。
【００１２】
この実施形態では、箆部材２１は、鉛直方向に対して例えば５０〜７０度の傾斜角をもって略垂直に立ち上げた長尺の箆本体２２と、この箆本体２２の下端部において折曲させた底面パネル２３とを備えるよう構成してある。また底面パネル２３と、その上側に位置する二本のアーム部材１１とを二本の補強ブリッジ１５によって連絡し、左右二本のアーム部材１１の動き（撓み収縮または拡開）を拘束防止する。
【００１３】
尚、この実施形態においては箆本体２２と底面パネル２３は一体成形であるが、後述するように、底面パネル２３となるべきパーツは別体として成形することも可能である。また、箆本体２２の傾斜角度は、底面パネル２３に対して所定の傾斜角（例えば５０〜７０度）を示せば良く、必ずしも鉛直方向との関係で角度設計する必要はない。使用時には、底面パネル２３は必ずしも鉛直に対して直角方向（水平方向）に用いられるとは限らないからである。
【００１４】
箆本体２２の長手方向の寸法は、２５〜３５ｃｍ程度とすることが望ましい。この程度の長さがあれば、腰をかがめることなく、片手だけで着用補助具１０を上方に引き抜くことが出来るからである。
【００１５】
底面パネル２３は、靴下の踵（かかと）部分を支持して広げるための手段である。箆本体２２と一体成形する必要はなく、両者の間に隙間があっても構わない。この底面パネル２３の横幅は、その上方に位置する二つのアーム部材１１の離隔幅（通常７〜９ｃｍ）と一致させる必要はない。それ以上でも良いが、好ましくはアーム幅よりも狭く、例えば５ｃｍ程度とすれば十分である。靴下を装着するときの容易性のためであり、重量を軽減するためである。最小限３ｃｍほどあれば実用に耐えるが、踵（かかと）に十分な拡がりがないと足の大きな人は履きにくいことになる。
【００１６】
底面パネル２３の前後方向の寸法は、踵（かかと）部分の展開支持であることを考慮すれば４〜６ｃｍが好ましい範囲となる。底面パネル２３は必ずしも正方形や長方形のような形状に限らない。楕円など、靴下が引っかかりにくい適宜形状とすることが望ましい。また板材を中抜きして軽量化を図っても良い。中抜きによる軽量化については他の部材（例えば箆本体２２）も同様に行うことが出来る。
【００１７】
補強ブリッジ１５の形状は問わない。但し、二つのアーム部材１１との関係で、足をスムースに靴下内部に差し入れることが出来るよう、広い面積をもった平板を使用することが好ましい。補強ブリッジ１５は、二つのアーム部材１１の動き（収縮または拡開）を拘束できる限り、取付位置を限定されない。さらに云えば、本発明に係る装着補助具１０は底面パネル２３とアーム部材１１とが一体化された構造でも良いので、補強ブリッジ１５というパーツ（部品）を用いる必要は必ずしもない。
【００１８】
二つのアーム部材１１は、例えば、底面パネル２３の上面と略平行な所定長の細長い肉薄のパネル材をもって構成する。この実施形態では、基端側（箆本体２２に近い側）の上下幅をやや大きくし、靴下係止片１４を設ける略中間の部位で、上下幅が小さくなるよう設計してある。基端側の上下幅は、例えば２．５〜３ｃｍとし、靴下係止片１４より前方の部分は、例えば１ｃｍ程度の上下寸法とする。
【００１９】
基端側の上下幅を比較的大きく設計するのは、靴下内部に足を差し入れる際の左右のガイドの役目をもたせるためである。前方部分は、靴下の前方部分を拡開させた状態で保持できる程度の剛性があれば良い。尚、上下幅に関しては他のデザイン、例えば基端から先端まで同一の上下幅に設計しても略同一の機能を実現することが出来る。また靴下の先端を傷めないよう、アーム部材１１の先端部１１Ｆは円弧を描くようライン設計することが望ましい。球体を配しても同じである。
【００２０】
この実施形態では、靴下係止片１４より前方の部分（符号Ｑで示す部分）は、底面パネル２３の上面に対してやや上向きの角度に設計してある。先端１１Ｆに向かっての上向き角度は５〜２０度程度とすることが望ましい。このように、靴下係止片１４より前方の部分を上向き傾斜させることによって、箆本体２２を上方に引き揚げるときに、足の角度と、箆本体２２の引き上げ角度が、使いやすい角度関係になるからである。
【００２１】
何故なら、このような補助具を使う場合、足はつま先立たせて３０〜５０度程度の角度をもって斜めに傾斜しているのが通常であり、底面パネル２３に対して５０〜７０度の傾斜角をもつ箆本体２２をそのまま真上に引き抜くことを考慮すれば、靴下係止片１４より前方の部分を上向き傾斜させた方が箆本体２２を真上方向（鉛直上方）に引き抜きやすくなり、良好な使用感を得るからである。
【００２２】
靴下係止片１４は、アーム部材１１の後端部から少なくとも５ｃｍ以上離隔させて設けることが望ましい。この靴下係止片１４は、足を差し入れるために靴下の上端前方部分を仮止めしておくためのものである。従って、その設置位置、つまりアーム部材１１の後端部からの離隔距離は、使用する人の足の幅や足の甲の高さによって変わるのであるが、足の小さな女性でも５ｃｍ以上の開口の前後幅があれば使用に耐える。尚、靴下の開口の横幅は、箆本体２２の横幅ないしアーム部材１１の離隔寸法によって決まるが、これも少なくとも５ｃｍ以上、好ましくは７〜９ｃｍ程度とすることが好ましい。
【００２３】
靴下係止片１４は、その機能から云えば、靴下の上端部前方を仮止め係止できる程度に上方に向かって突出させておけばよいが、より好ましくは、前方に向かってやや斜め傾斜させた状態で設け、またその先端部１４Ｆは、靴下を傷めないよう曲線ラインに設計する。先端部１４Ｆには球体を配してもよい。
【００２４】
靴下係止片１４を前方傾斜させるのは、靴下の上端開口を確実に係止させるためである。先端部１４Ｆは曲線的な形状なので、箆本体２２を上方へ引き上げても係止片（１４）と靴下とは滑らかに相対移動する。もちろん他の形状（例えば逆Ｌ字状）でも、靴下の係止と滑らかな相対移動を同時に実現できるから、靴下係止片１４は必ずしも前方傾斜させて設ける必要はない。尚、靴下係止片１４の上方突出量は、例えば１〜２ｃｍ程度あれば十分である。
【００２５】
従って、本発明に係る着用補助具１０によれば、図２に示すように、二本のアーム１１、靴下係止片１４、箆本体２２、底面パネル２３によって、靴下の上端開口Ｐを広げた状態で靴下Ｓを履きやすいようにセットすることが出来る。靴下Ｓのセットは、手元（例えば膝上）で行うことが出来る。そして靴下Ｓをセットした状態で、着用補助具１０を手に持ったまま又は着用補助具１０を床面において、開口Ｐから足を差し入れ箆本体２２を上方に引き揚げると、足に靴下が着用された状態で残る。このため腰を曲げる必要なく、簡単に靴下Ｓを装着することが出来る。
【００２６】
本発明に係る靴下の着用補助具は前記構成に限らない。例えばアーム部材１１は平板に限らず丸棒であっても良い。アーム部材１１は　木、樹脂、または難錆金属を用いることが出来る。またアーム部材１１は、箆本体（２２）に固定する必要はない。底面パネル（２３）がある場合は、アーム部材（１１）の後端を垂下させて底面パネル（２３）に支持固定させることもできるからである。
【００２７】
靴下係止片（１４）は、基端を回動可能に軸支しても良い。箆本体（２２）も、底面パネル（２３）に回動自在に軸支させても良い。また箆本体（２２）は、底面パネル（２３）またはアーム部材（１１）に対して着脱自由に差し込み固定できる構造としても構わない。底面パネル（２３）は必ずしも必要ではない。アーム部材（１１）の上下寸法が十分に大きい場合は、底面パネル（２３）がなくとも靴下（Ｓ）のかかと部分を広げた状態で保持できるからである。
【００２８】
【発明の効果】
以上説明したように、本発明に係る靴下の着用補助具によれば、高齢者や病人など、腰、腕、指に不自由がある場合でも、他人の補助を受けず自分一人で靴下を履くことが出来る。
【図面の簡単な説明】
【図１】本発明に係る靴下の着用補助具を例示する図である。
【図２】図１に示す着用補助具に靴下をセットした状態を例示する図である。
【符号の説明】
１０　着用補助具
１１　アーム部材
１１Ｆ　アーム部材の先端
１４　靴下係止片
１４Ｆ　靴下係止片の先端
１５　補強ブリッジ
２１　箆部材
２２　箆本体
２３　底面パネル
Ｓ　靴下
Ｐ　靴下上端の開口
Ｑ　靴下係止片より前方に位置するアーム部材の範囲
【図１】
2004097245.tif 000003
【図２】
2004097245.tif 000004